(57)【要約】【課題】基板上の端子部に対する電気部品の位置決めを正確に行うことができ、また、電気部品のがたつきを防止して端子接続の信頼性を維持することができる部品保持構造及びそれを備えた電子ユニットを提供する。【解決手段】リード端子３７を有するリレー３５と、絶縁性を有する基板３４に設けられた枠状のリレー保持部４０とから成り、リレー保持部４０にリレー３５がセットされて、リード端子３７と基板３４の板厚方向に突出形成された端子部との電気的接続が行われるリレー保持構造において、矩形状に形成されたリレー保持部４０の直交する２つの壁部４０ｂ，４０ｄ内面に、リレー３５のセット方向に延在し、且つそれぞれが交差する方向に突出形成された複数の位置決め用リブ４３を設け、リレー保持部４０の他の直交する２つの壁部４１ａ，４１ｃ内面をリレー３５に対する拘束面とした。【選択図】図１
2005158479.tif 000002
【特許請求の範囲】
【請求項１】
リード端子を有する電気部品と、絶縁性を有する基板に設けられた枠状の部品保持部とから成り、該部品保持部に該電気部品がセットされて、該リード端子と該基板上の端子部との電気的接続が行われる部品保持構造において、
前記部品保持部の枠壁内面に、該電気部品のセット方向に延在する複数の位置決め用リブが設けられ、各位置決め用リブはそれぞれが交差する方向に突出形成され、該位置決め用リブに該電気部品の壁面が当接したことを特徴とする部品保持構造。
【請求項２】
矩形枠状に形成された前記部品保持部の直交する２つの壁部内面に、前記位置決め用リブがそれぞれ設けられ、該部品保持部の他の直交する２つの壁部内面が前記電気部品に対する拘束面とされたことを特徴とする請求項１記載の部品保持構造。
【請求項３】
前記位置決め用リブが、三角形断面に形成されたことを特徴とする請求項１又は２記載の部品保持構造。
【請求項４】
前記位置決め用リブがテーパ状に形成され、基部側が先端側より内側に出ていることを特徴とする請求項１〜３のいずれか１項に記載の部品保持構造。
【請求項５】
前記位置決め用リブの両側に、該位置決め用リブに該電気部品の壁面が擦れた際に生ずる削り屑を逃がす溝が設けられたことを特徴とする請求項１〜４のいずれか１項に記載の部品保持構造。
【請求項６】
請求項１〜５のいずれか１項に記載の部品保持構造を備えたことを特徴とする電子ユニット。
【発明の詳細な説明】
【技術分野】
【０００１】
本発明は、例えば絶縁性を有する基板の部品保持部に、リレーやヒューズやヒュージブルリンク等の電気部品が保持される部品保持構造及びそれを備えた電子ユニットに関するものである。
【背景技術】
【０００２】
この種の部品保持構造に関連する従来の一例を図７（特許文献１）及び図８に示す。
【０００３】
図７に示す第１の従来例は、リレーが挿入されるカセット式のリレーホルダ５５を作業性良く安定して保持することができる保持装置５０に関するものであり、保持装置５０は、四方が壁部で囲まれた外壁を備え、一方の壁部５１にリレーホルダ５５を係止させる係止部５１ａが設けられ、この壁部５１の一側に続く他方の壁部５２に、ヒンジ部５３を介して開閉自在に連結された扉壁５４が設けられ、扉壁５４の内壁面にリレーホルダ５５を支持する支持部５４ａが突設されたものである。保持装置５０の上下は開口形成されており、上側の開口からリレーホルダ５５が挿入され、下側の開口からリレーホルダ５５の電線５６が引き出されるようになっている。
【０００４】
リレーホルダ５５の外壁には、係止部５１ａに対応する位置で係合部５５ａが突設され、係止部５１ａと係合部５５ａとが係合することでリレーホルダ５５が保持装置５０に係止されるようになっている。扉壁５４が閉じられると、リレーホルダ５５の底面に扉壁５４の支持部５４ａが当接し、これによって、リレーホルダ５５は、係止部５１ａと支持部５４ａの２箇所で支持されることとなり、係止部５１ａを有する一方の壁部５１が撓むことなく、安定した状態で固定されるようになっている。
【０００５】
図８に示す第２の従来例は、下向きに突出したリード端子６４を有するリレー６２が、絶縁性を有する基板６０に設けられた枠状のリレー保持部６１にセットされて、リード端子６４が中継端子６５を介して（４つの中継端子のうち２つのみ図示する）基板６０の下層に配置される図示しないブスバー成形体の端子部に電気的に接続されるものである。リレー６２は、角柱状のリレー本体６３と、リード端子６４とからなっている。リレー保持部６１は、矩形状の枠壁６６を備え、リレー本体６３に対応する形状に形成されている。上部は開口形成されており、底壁には、リード端子が挿通される図示しないタブ孔が貫通形成されている。
【０００６】
リレー保持部６１にリレー６２がセットされると、リード端子６４がタブ孔に挿通されつつ中継端子６５の一方の雌端子部６５ａに端子接続され、中継端子６５の他方の雌端子部６５ｂがブスバーの端子部に端子接続されるようになっている。
【０００７】
また、図示しない第３の従来例は、ヒューズやリレー等の電気部品が装着される電装品収納ボックスを安定した状態に配設することができ、電気部品の交換作業を容易に行うことができるようにしたものであり、エアコンボックスからエンジンルーム内に延びる吸気ダクトの下部に電装品収納ボックスが配置され、ボックス本体が脚部を介してサイドメンバに固定され、カバーが吸気ダクトに一体に成形され、吸気ダクトがエアコンボックスに着脱自在に接続されたものである。
【０００８】
電装品収納ボックスは、ボックス本体とカバーとから構成されている。ボックス本体は、矩形箱状をなし、上部が開口形成されている。上部開口からヒューズやリレーが収納されるようになっている。カバーは、ボックス本体の上部に対応する形状に形成されている。また、カバーには、吸気ダクトに連通形成された連通孔が形成されており、吸気ダクト内を空気が流れることにより、ヒューズやリレーが冷却されるようになっている。
【特許文献１】特開平１１−２７４７４４号公報（第３頁、第１図）
【特許文献２】特開平１０−１１７０７０号公報（第２頁）
【発明の開示】
【発明が解決しようとする課題】
【０００９】
しかしながら、上記従来の部品保持構造では、解決すべき以下の問題点がある。第１の従来例は、リレーホルダ５５がリレーに対して保持固定する手段を有しないため、車両走行中の振動や衝撃などにより、リレーがリレーホルダ５５内で動き、端子接続の信頼性が損なわれるという問題があった。殊に、リレーのリード端子と相手側端子とが抵抗溶接などにより直接接続されるものである場合には、両端子の接続部が分離して、非接続となる心配があった。
【００１０】
また、リレーホルダ５５が保持装置５０に着脱自在に固定されるものであるため、リレーとリレーホルダ５５との遊びと、リレーホルダ５５と保持装置５０のあそびとが累積されて、両端子間の位置ずれが大きくなったり、小さくなったりして、接続安定性が一定しないという問題があった。
【００１１】
第２の従来例は、リレー保持部６１が基板６０に一体形成されたものであり、第１の従来例に比べて端子間の位置ずれの管理が容易となるものである。また、リレー保持部６１にセットされたリレー６２のリード端子６４が弾性接触片を備えた中継端子６５に接続されるものであるため、リード端子６４に接触する弾性接触片が弾性変形することで位置ずれが吸収されるようになっている。しかしながら、この従来例は、リレー６２がリレー保持部６１に保持固定されるものでないため、リレー６２の位置決めが行われないという問題や、リレー６２ががたつくという問題があった。また、中継端子６５を備えたものであるため、部品点数が増加して構造が複雑化するという問題や、構造のコンパクト化が図れないという問題があった。
【００１２】
第３の従来例は、狭いスペースに電装品収納ボックスを安定した状態に配設することができ、電気部品の交換作業を容易に行うことができるものであるが、リレーの位置決めや、位置ずれが吸収される保持構造を提供するものではない。
【００１３】
本発明は、上記した点に鑑み、基板上の端子部に対するリレー等の電気部品の位置決めを正確に行うことができ、また、電気部品のがたつきを防止して端子接続の信頼性を維持することができる部品保持構造及びそれを備えた電子ユニットを提供することを目的とする。
【課題を解決するための手段】
【００１４】
上記目的を達成するために、請求項１記載の発明は、リード端子を有する電気部品と、絶縁性を有する基板に設けられた枠状の部品保持部とから成り、該部品保持部に該電気部品がセットされて、該リード端子と該基板上の端子部との電気的接続が行われる部品保持構造において、前記部品保持部の枠壁内面に、該電気部品のセット方向に延在する複数の位置決め用リブが設けられ、各位置決め用リブはそれぞれが交差する方向に突出形成され、該位置決め用リブに該電気部品の壁面が当接したことを特徴とする。
【００１５】
上記構成によれば、電気部品としてのリレーやヒューズやヒュージブルリンク等が、上部に開口を有する枠状の部品保持部にセットされることで、リード端子が基板上のブスバーの板厚方向に突出する端子部に、中継端子を介して間接に又は直接に電気的に接続される。電気部品が部品保持部にセットされると、電気部品の壁面が位置決め用リブに当接し、電気部品の他の壁面が枠壁内面に拘束される。
【００１６】
また、請求項２記載の発明は、請求項１記載の部品保持構造において、矩形枠状に形成された前記部品保持部の直交する２つの壁部内面に、前記位置決め用リブがそれぞれ設けられ、該部品保持部の他の直交する２つの壁部内面が前記電気部品に対する拘束面とされたことを特徴とする。
【００１７】
上記構成によれば、部品保持部に電気部品がセットされると、電気部品の直交する２つの壁面が複数の位置決め用リブに当接し、電気部品の他の直交する２つの壁面が部品保持部の拘束面に拘束される。
【００１８】
また、請求項３記載の発明は、請求項１又は２記載の部品保持構造において、前記位置決め用リブが、三角形断面に形成されたことを特徴とする。
【００１９】
上記構成によれば、電気部品が部品保持部にセットされると、位置決め用リブの先端に電気部品の壁面が擦れて、位置決め用リブの先端が潰れ易くする。
【００２０】
また、請求項４記載の発明は、請求項１〜３のいずれか１項に記載の部品保持構造において、前記位置決め用リブがテーパ状に形成され、基部側が先端側より内側に出ていることを特徴とする。
【００２１】
上記構成によれば、部品保持部の開口側の間口が奥側より広くなり、電気部品を部品保持部にセットし易くなる。また、セットされた電気部品は、リード端子側が強く拘束される。
【００２２】
また、請求項５記載の発明は、請求項１〜４のいずれか１項に記載の部品保持構造において、前記位置決め用リブの両側に、該位置決め用リブに該電気部品の壁面が擦れた際に排出される削り屑を逃がす溝が設けられたことを特徴とする。
【００２３】
上記構成によれば、位置決め用リブの先端が電気部品に擦れた際に生じる削り屑が溝に溜まる。
【００２４】
また、請求項６記載の発明は、請求項１〜５のいずれか１項に記載の部品保持構造を備えたことを特徴とする。
【００２５】
上記構成によれば、上記請求項１〜５の作用効果に加えて、リレー等の電気部品が基板上のブスバーの端子部に接続されることでブスバー配線板が構成され、ブスバー配線板が電子ユニットに組み込まれることで、電気部品がブスバーを介してトランジスタやコンデンサ等の電子部品に接続される。
【発明の効果】
【００２６】
以上の如く、請求項１記載の発明によれば、電気部品が部品保持部にセットされると、電気部品の壁面が位置決め用リブに当接し、電気部品の他の壁面が枠壁内面に拘束される。したがって、電気部品の位置決めを正確に行うことができ、基板上の端子部に対する接続作業が容易となる。また、電気部品のがたつきを防止でき、端子接続の信頼性を維持することができる。
【００２７】
また、請求項２記載の発明によれば、位置決め用リブが、部品保持部の直交する２つの壁部内面にそれぞれ設けられているから、部品保持部に電気部品がセットされると、電気部品の直交する２つの壁面が複数の位置決め用リブに当接し、電気部品の他の直交する２つの壁面が部品保持部の拘束面に拘束される。したがって、電気部品を互いに直交する２方向に位置決めすることができ、リレーのリード端子と基板の端子部の端子接続の信頼性が向上する。
【００２８】
また、請求項３記載の発明によれば、位置決め用リブが三角断面に形成されているから、電気部品が部品保持部にセットされると、位置決め用リブの先端に電気部品の壁面が擦れて、位置決め用リブの先端が潰れ易くする。したがって、部品保持部に電気部品をセットし易くなり、電気部品の取付作業性が向上する。
【００２９】
また、請求項４記載の発明によれば、位置決め用リブがテーパ状に形成されているから、電気部品を部品保持部にセットし易くなる。また、セットされた電気部品は、奥側でより強く拘束されることとなる。したがって、電気部品の取付性が損なわれることなく、電気部品の位置決めがより正確に行われる。
【００３０】
また、請求項５記載の発明によれば、位置決め用リブの両側に、削り屑を逃がす溝が設けられているから、位置決め用リブの先端が押し潰された際に生じる削り屑が溝に溜まる。したがって、削り屑の巻き込みにより位置決め用リブが損傷することを防止できる。
【００３１】
また、請求項６記載の発明によれば、上記請求項１〜５の効果に加えて、リレー等の電気部品を基板上のブスバーに接続することでブスバー配線板が構成され、ブスバー配線板を電子ユニットに装着することで、電気部品がブスバーを介してトランジスタやコンデンサ等の電子部品に接続される。したがって、多重通信可能な制御装置を構成することができる。
【発明を実施するための最良の形態】
【００３２】
以下に本発明の実施の形態の具体例を図面を用いて詳細に説明する。図１〜図４は、本発明に係る部品保持構造の一実施形態を示すものである。
【００３３】
部品保持構造は、リレーやヒューズ等の電気部品が、絶縁性を有する基板に形成されたリレー保持部（部品保持部）やヒューズ保持部（部品保持部）に保持される構造であり、電気接続箱や電子ユニットに適用されるものである。本実施形態に係る部品保持構造は、リレーがリレー保持部に保持されるリレー保持構造に関し、自動車のワイパー、ウォッシャー液、フロントライト、フォグランプ、エアコンディショナー等の補機を制御する電子ユニットに用いられるものである。
【００３４】
本実施形態に係るリレー保持構造は、基板３４上の端子部（図示せず）に対するリレー３５の位置決めを正確に行うことができ、また、車両走行中の振動や衝撃等によるリレー３５のがたつきを防止して端子接続の信頼性を維持することができるものであり、リード端子３７を有するリレー３５と、絶縁性を有する基板３４に設けられた枠状のリレー保持部４０とから成り、リレー保持部４０にリレー３５がセットされて、リード端子３７と基板３４の板厚方向に突出形成された端子部との電気的接続が行われるリレー保持構造において、矩形枠状に形成されたリレー保持部４０の直交する２つの壁部４１ｂ，４１ｄ内面に、リレー３５のセット方向に延在し、且つそれぞれが交差する方向に突出形成された２つの位置決め用リブ４３，４３が設けられ、リレー保持部４０の他の直交する２つの壁部４１ａ，４１ｃ内面がリレー３５に対する拘束面とされたことを特徴とするものであり、位置決め用リブ４３が三角形断面に形成されたことを有効とするものである。
【００３５】
以下に、本実施形態のリレー保持構造について、その主要構成部分を詳細に説明する。図１に示すように、リレー保持構造は、リレー３５とリレー保持部４０とから構成されている。リレー３５は、箱状のリレー本体３６と、複数のリード端子３７とからなっており、電気信号を受信して各種補機のスイッチ機能を果たす電気部品である。リレー本体３６は、樹脂カバーと、電磁石（図示せず）と、ばね接点（図示せず）とからなっている。複数のリード端子３７は、基板３４上の端子部に対応する位置で下向きに突出形成されている。本実施形態のリレー３５は、５本のリード端子を有するものである（５本のうち、３本を図示する）。
【００３６】
リード端子３７は、リレー保持部４０の底面４２に貫通形成されたタブ孔４２ａを挿通され、基板３４の裏面から板厚方向に突出するタブ状の端子部（図６参照）に対向して配置され、抵抗溶接や超音波溶接により、両端子３７が直接に溶接接続されるようになっている。両端子が溶接接続される場合は、リレー３５がリレー保持部４０にセットされた際に、両端子３７が背中合わせに接することが必要になり、正確な位置決め精度が要求されている。
【００３７】
四方に矩形枠状の壁部４１ａ，４１ｂ，４１ｃ，４１ｄを有するリレー保持部４０は、基板３４の表面に形成されている。リレー保持部４０の上部は、リレー３５がセットされるように開口形成されている。リレー保持部４０の内側には、リレー本体３６の大きさに対応する収容室が形成されている。枠壁４１の高さは、リレー本体３６の下側を保持することができる寸法に形成されている。枠壁４１の高さを低く形成することで、成形性が向上するとともに、基板３４の板厚方向に崇高化することも防止されて、ブスバー配線板１０（図５参照）又は電子ユニットのコンパクト化を図ることも可能になっている。
【００３８】
枠壁４１は、前後方向に対向する前後の壁部４１ａ，４１ｂと、左右方向に対向する左右の壁部４１ｃ，４１ｄとからなっている。互いに直交して隣り合う後側の壁部４１ｂ内面と右側の壁部４１ｄ内面には、リレー３５のセット方向（高さ方向）に延在する位置決め用リブ４３がそれぞれ設けられている。各位置決め用リブ４３は、各壁部４１ｂ，４１ｄ内面の中央部に設けられており、交差する方向であるｘ方向とｙ方向にそれぞれ突設されている。
【００３９】
位置決め用リブ４３は、各壁部４１ｂ，４１ｄ内面に一つずつ設けることに制約するものではなく、各壁部４１ｂ，４１ｄ内面に複数設けることもできる（図５参照）。このように、位置決め用リブ４３は、互いに直交して隣り合う壁部４１ｂ，４１ｄ内面に設けられているから、位置決め用リブ４３にリレーの後面（壁面）３５ｂ及び右側面（壁面）３５ｄがそれぞれ当接し、前側の壁部４１ａ内面と左側の壁部４１ｃ内面にリレーの前面（壁面）３５ａ及び左側面（壁面）３５ｃが当接して拘束され、リレーがｘ方向及びｙ方向の互いに直交する２方向に位置決めされるようになっている（図３）。
【００４０】
位置決め用リブ４３は、三角形断面に形成されているため、リレー保持部４０にリレー３５がセットされると、位置決め用リブ４３の先端にリレー３５の後面３５ｂ及び右側面３５ｄが擦れて、位置決め用リブ４３の先端が潰れ易くなり、リレー保持部４０にリレー３５がセットされ易くなっている。他方、位置決め用リブ４３の根本側（基部側）は幅広になっているため（図４）、位置決め用リブ４３の変形や倒れ等の損傷が防止され、リレー３５が長期に亘り安定性よく保持されるようになっている。
【００４１】
図４に示すように、位置決め用リブ４３は、枠壁４１の開口側から底側に向かうにしたがって漸次内方に突出するテーパ状に形成されている。このため、枠壁４１内にセットされたリレー３５は、底側でより強く拘束され、リード端子３７の位置決めが正確に行われるようになっている。位置決め用リブ４３の上側は、必ずしもリレー３５の後面３５ｂ及び右側面３５ｄに当接しなくてもよく、枠壁４１の高さを低く形成することも可能である（図５参照）。リレー保持部４０の開口側は、間口が広くなっているため、リレー３５がセットされやすく、リレー３５の取付作業性が向上する効果もある。
【００４２】
位置決め用リブ４３の両側には、削り屑を逃がす溝４５が設けられている（図２，３）。この溝４５には、位置決め用リブ４３の先端が擦れた際に生じる削り屑が溜まるようになっている。このため、削り屑の巻き込みにより位置決め用リブ４３が損傷したり、枠壁４１内面に傷が付くことが防止されている。
【００４３】
次に、図５及び図６に基づき、リレー保持構造を備えた電子ユニットの一実施形態について、その主要構成部分について説明する。電子ユニットは、ユニット本体に、ヒューズやリレー２４等の電気部品や、ダイオードや抵抗やトランジスタやコイルやコンデンサや集積回路等の電子部品を備えるとともに、かつそれらの回路を外部回路と接続させるコネクタを備えたものであり、自動車のワイパー、ウォッシャー液、フロントライト等の補機を制御する通信制御装置である。
【００４４】
本実施形態の電子ユニットは、リレー２４がブスバー１２を介してトランジスタやコンデンサ等の電子部品に接続されて、多重通信可能な制御装置を構成することができるものであり、リレー２４、ヒューズ、コネクタ等の電気部品が保持されたブスバー配線板１０と、トランジスタやコイル等の電子部品が実装された絶縁性を有する基板２８とが、層構造に配置されたものである。
【００４５】
電子ユニットは、ユニット本体と、上下カバー（図示せず）とから構成されている。ユニット本体は、ブスバー配線板１０と、プリント基板（図示せず）とからなっている。ブスバー配線板１０は、ブスバー１２と基板２８とから構成されている。ブスバー１２と基板２８は、インサート成形により一体化されたものである。
【００４６】
基板２８は、インサート成形に好適するＰＢＴ（ポリブチレンテレフタレート）を構成材料としている。この基板２８は、ブスバー１２を絶縁保護するためのものであり、ブスバー１２の端部に形成された端子部１７，１８，１９，２６，２７を除くブスバー主体部に一体形成されている。基板２８の前側には、プリント基板をねじ止めするためのねじ孔２８ａが設けられている。基板２８の後側には、複数のリレー２４が装着されるリレー保持部（部品保持部）３０が設けられている。リレー保持部３０の後方には、ヒューズのリード端子に端子接続される音叉状の端子部２７が起立形成されている。
【００４７】
リレー保持部３０は、５箇所に設けられていて、大きさの異なるリレー２４がそれぞれ保持されるようになっている。４つのリレー保持部３０，・・，３０は、図１に示すリレー保持部４０より背が低く形成されているが、中央部に形成されたリレー保持部３０は、図１に示すリレー保持部４０より背が高く形成されている。リレー保持部４０の背を高く形成することで、リレー２４から生ずる熱が周囲に伝わらないようになっている。リレー保持部３０の背が高くても低くても、リレー２４は動かないように保持されるようになっている。
【００４８】
各リレー保持部３０の壁部３１ｂ，３１ｄ内面には、複数の位置決め用リブ３２が設けられている。位置決め用リブ３２が、隣接する各壁部３１ｂ，３１ｄ内面に２つ設けられている点で、図１に示すリレー保持部４０と相違している。位置決め用リブ３２の数を増やすことで、リレー２４の位置決めがより正確に行われるとともに、リレー２４のがたつきが確実に防止されるようになっている。
【００４９】
リレー保持部３０の底面３３には、リレー２４のリード端子２５を挿通させるための複数のタブ孔３３ａが貫通形成されている。リレー２４がリレー保持部３０にセットされることで、リレー２４の前後方向（ｘ方向）、左右方向（ｙ方向）、上下方向（ｚ方向）の位置決めが行われ、リード端子２５がタブ孔３３ａを挿通し、基板２８の裏側に突出するブスバー１２の端子部１５（図６）に接するようになっている。
【００５０】
図６に示すように、基板２８の裏面には、ブスバー１２の端子部１５が基板２８に対して垂直に起立形成されている。各リレー保持部３０には、リレー２４のリード端子２５の数に等しい５つの端子部１５，・・・，１５が形成されている。リレー２４がセットされると、リード端子２５とブスバー１２の端子部１５とが背中合わせに接した位置でリレー２４が位置決めされるようになっている。上述したように、両端子１５，２５は、抵抗溶接装置の一対の電極に挟まれ、電極に低電圧高電流が流されることで、両端子１５，２５が直接に溶接接続されるようになっている。
【００５１】
ブスバー１２は、銅又は銅合金等を構成材料とし、プレス機により所定の回路パターンにしたがって打ち抜かれた回路導体であり、水平なブスバー主体部と、ブスバー主体部の端部及び中央部において形成された端子群とからなっている。ブスバー主体部は、基板２８に埋設されているため、外部との短絡が防止されるようになっている。
【００５２】
端子群は、基板接続用の端子部１７，１８，１９と、コネクタ接続用の端子部２６と、ヒューズ接続用の端子部２７とからなっている。基板接続用の端子部１７，１８，１９は、タブ状をなし、ブスバー配線板１０の左右両側と中央部にそれぞれ起立形成されている。左右両側の端子部１７，１８はそれぞれ対向して形成され、中央の端子部１９は左右両側の端子部１７，１８に対して直交する方向に形成されている。
【００５３】
基板接続用の複数の端子部１７，１８，１９は、インサート成形により形成されたアライメント矯正用の樹脂帯２０により横一列に整列された状態で連結されているため、倒れ等のぶれが防止され、ブスバー配線板１０の上側に重なる図示しないプリント基板に形成された端子孔に正確に挿入され、配線導体に半田付けにて直接接続されるようになっている。
【００５４】
コネクタ接続用の複数の端子部２６は、タブ状をなし、ブスバー配線板１０の前側に並設されている。端子部２６には、外部コネクタの雌端子が端子接続されるようになっている。ユニット本体に外部コネクタがコネクタ接続されることで、内部回路と外部回路とが導通され、電源の供給や信号の送受信が行われるようになっている。
【００５５】
ヒューズ接続用の端子部２７は、音叉状をなし、ブスバー配線板１０の後側に沿うように並設されている。端子部２７は、弾性を有する一対の腕部を有しており、各腕部の先端側に形成された凸状の電気接触部の間でヒューズのリード端子が挟持されるようになっている。
【００５６】
プリント基板は、絶縁基板と、絶縁基板上に実装されたトランジスタやコンデンサ等の電子部品から構成されている。電子部品は、配線導体を介してブスバー配線板１０の基板接続用の端子部１７，１８，１９に接続されるようになっている。
【００５７】
上下のカバーは、成形性及び耐熱性に優れるＰＢＴを構成材料とし、樹脂成形されたものである。上カバーは、外壁が天壁及び周壁とからなっており、底壁は開口形成されていて、プリント基板が覆われるようになっている。下カバーは、ブスバー配線板１０の下側に宛われ、水や塵埃がユニット内に進入しないようにされている。
【００５８】
なお、本発明は上記実施形態に限定されるものではなく、本発明の骨子を逸脱しない範囲で種々変形して実施することができる。
【図面の簡単な説明】
【００５９】
【図１】本発明に係るリレー保持構造の一実施形態を示す斜視図である。
【図２】図１に示す位置決め用リブの丸枠Ａ部を拡大した図である。
【図３】図１に示すリレー保持部に、リレーがセットされた状態を示す平面図である。
【図４】図１に示すリレー保持部のＢ−Ｂ線に沿って切断した断面図である。
【図５】本発明に係るリレー保持構造を備えた電子ユニットの一実施形態を示す要部斜視図である。
【図６】図５に示すブスバー配線板を裏側から見た斜視図である。
【図７】従来のリレー保持構造の一例を示す斜視図である。
【図８】従来のリレー保持構造の他の一例を示す斜視図である。
【符号の説明】
【００６０】
１０                ブスバー配線板
１５                端子部
２４，３５          リレー
２４ａ，３５ａ      前面（壁面）
２４ｂ，３５ｂ      後面（壁面）
２４ｃ，３５ｃ      左側面（壁面）
２４ｄ，３５ｄ      右側面（壁面）
２５，３７          リード端子
２８，３４          基板
３０，４０          リレー保持部（部品保持部）
３１，４１          枠壁
３１ｂ，４１ｂ      後側の壁部
３１ｄ，４１ｄ      右側の壁部
３２，４３          位置決め用リブ
３４，４５          溝
【図１】
2005158479.tif 000003
【図２】
2005158479.tif 000004
【図３】
2005158479.tif 000005
【図４】
2005158479.tif 000006
【図５】
2005158479.tif 000007
【図６】
2005158479.tif 000008
【図７】
2005158479.tif 000009
【図８】
2005158479.tif 000010